(57)【要約】【課題】遮光部材を容易に形成することができるようにする。【解決手段】光軸に対して直角の方向に、複数のレンズが隣接させて配設されたレンズ板と、遮光部３３ａ、及び前記各レンズに対応させて形成された複数の透光部３３ｂを備え、隣接するレンズに入射された光を遮断する遮光部材とを有する。前記各透光部３３ｂは互いに連通させて形成される。各透光部３３ｂは互いに連通させて形成されるので、例えば、金型に、各透光部３３ｂの形状に対応する突起を一体に形成することができる。したがって、遮光部材を容易に形成することができる。また、金型の耐久性及び生産性を高くすることができる。【選択図】図１
2010008803.tif 000002
【特許請求の範囲】
【請求項１】
（ａ）光軸に対して直角の方向に、複数のレンズが隣接させて配設されたレンズ板と、
（ｂ）遮光部、及び前記各レンズに対応させて形成された複数の透光部を備え、隣接するレンズに入射された光を遮断する遮光部材とを有するとともに、
（ｃ）前記各透光部は互いに連通させて形成されることを特徴とするレンズアレイ。
【請求項２】
前記遮光部材は、二つのレンズが隣接する境界線付近において、レンズアレイの幅方向におけるレンズの中心の位置からレンズアレイの幅方向における端部までの領域を遮光する請求項１に記載のレンズアレイ。
【請求項３】
前記遮光部材は、二つのレンズが隣接する境界線付近において、前記レンズアレイの幅方向における中心の位置からレンズアレイの幅方向における端部までの領域を遮光する請求項１に記載のレンズアレイ。
【請求項４】
前記レンズアレイは縮小倒立像を形成し、前記各レンズは正立等倍像を形成する請求項１〜３のいずれか１項に記載のレンズアレイ。
【請求項５】
前記遮光部材は成形材料の射出成形によって形成される請求項１〜４のいずれか１項に記載のレンズアレイ。
【請求項６】
前記遮光部材において、光源の光を透過する部材に、光源の光を遮断する材料によって遮光パターンが形成される請求項１〜４のいずれか１項に記載のレンズアレイ。
【請求項７】
前記透光部において、光軸方向における一方の端面の面積が他方の端面の面積より小さくされる請求項１〜６のいずれか１項に記載のレンズアレイ。
【請求項８】
前記透光部において、光軸方向における中央の面積が前記レンズ側の端面の面積より小さくされる請求項１〜６のいずれか１項に記載のレンズアレイ。
【請求項９】
請求項１〜８のいずれか１項に記載のレンズアレイが搭載されたＬＥＤプリントヘッド。
【請求項１０】
請求項１〜８のいずれか１項に記載のレンズアレイが搭載された露光装置。
【請求項１１】
請求書９に記載のＬＥＤプリントヘッドが搭載された画像形成装置。
【請求項１２】
請求項１０に記載の露光装置が搭載された画像形成装置。
【請求項１３】
請求項１〜８のいずれか１項に記載のレンズアレイが搭載された読取装置。
【発明の詳細な説明】
【技術分野】
【０００１】
本発明は、レンズアレイ、ＬＥＤプリントヘッド、露光装置、画像形成装置及び読取装置に関するものである。
【背景技術】
【０００２】
従来、プリンタ、複写機等の画像形成装置、スキャナ、ファクシミリ等の読取装置及び複合機のような画像処理装置、例えば、プリンタにおいては、感光体ドラムの表面が、帯電ローラによって帯電させられ、露光装置としてのＬＥＤヘッドによって露光されて静電潜像が形成され、該静電潜像に現像ローラ上で薄層化されたトナーが静電的に付着させられてトナー像が形成されるようになっている。続いて、該トナー像は、転写ローラによって用紙上に転写され、定着器において定着させられて、画像が形成される。
【０００３】
ところで、前記ＬＥＤヘッドにおいては、ＬＥＤによって発生させられた光を感光体ドラムの表面に収束させるためにロッドレンズが使用されるようになっている。該ロッドレンズは、ガラスファイバにイオンを含浸させることによって、また、中央部から周辺部に向けて屈折率が小さくなるように形成される。そして、複数のロッドレンズを配列することによって形成されたロッドレンズアレイにより、物体の正立等倍像をライン状に形成する光学系が構成される。
【０００４】
複数のマイクロレンズを一体に形成し、物体の正立等倍像をライン状に形成する光学系を構成するようにしたロッドレンズアレイも提供されている（例えば、特許文献１参照。）。
【０００５】
なお、スキャナ、ファクシミリ等の読取装置、例えば、スキャナにおいては、複数の受光素子をアレイに配列した受光部に原稿の像を結像させる光学系を構成するロッドレンズアレイが使用されるようになっている。
【特許文献１】特開２００１−２４９２７４号公報
【発明の開示】
【発明が解決しようとする課題】
【０００６】
しかしながら、前記従来のプリンタにおいては、光軸が一致するマイクロレンズ以外のマイクロレンズからの光が入射されることがないように、マイクロレンズの配列ピッチに合わせて、遮光部材としての複数の開口絞りを備えた遮光板を形成する必要があるが、マイクロレンズの配列ピッチが小さい場合には、複数の開口絞りを形成するのが困難になってしまう。
【０００７】
本発明は、前記従来のプリンタの問題点を解決して、遮光部材を容易に形成することができるレンズアレイ、ＬＥＤプリントヘッド、露光装置、画像形成装置及び読取装置を提供することを目的とする。
【課題を解決するための手段】
【０００８】
そのために、本発明のレンズアレイにおいては、光軸に対して直角の方向に、複数のレンズが隣接させて配設されたレンズ板と、遮光部、及び前記各レンズに対応させて形成された複数の透光部を備え、隣接するレンズに入射された光を遮断する遮光部材とを有する。
【０００９】
そして、前記各透光部は互いに連通させて形成される。
【発明の効果】
【００１０】
本発明によれば、レンズアレイにおいては、光軸に対して直角の方向に、複数のレンズが隣接させて配設されたレンズ板と、遮光部、及び前記各レンズに対応させて形成された複数の透光部を備え、隣接するレンズに入射された光を遮断する遮光部材とを有する。
【００１１】
そして、前記各透光部は互いに連通させて形成される。
【００１２】
この場合、各透光部は互いに連通させて形成されるので、例えば、金型に、各透光部の形状に対応する突起を一体に形成することができる。したがって、遮光部材を容易に形成することができる。また、金型の耐久性及び生産性を高くすることができる。
【発明を実施するための最良の形態】
【００１３】
以下、本発明の実施の形態について図面を参照しながら詳細に説明する。
【００１４】
まず、画像処理装置としての、かつ、画像形成装置としてのプリンタについて説明する。
【００１５】
図２は本発明の第１の実施の形態におけるプリンタの概念図である。
【００１６】
図に示されるように、プリンタ６０は、画像データに基づいてブラック、イエロー、マゼンタ及びシアンの各色ごとの現像剤像としてのトナー像を形成する画像形成ユニット６１Ｂｋ、６１Ｙ、６１Ｍ、６１Ｃ、該各画像形成ユニット６１Ｂｋ、６１Ｙ、６１Ｍ、６１Ｃと対向させて配設され、各画像形成ユニット６１Ｂｋ、６１Ｙ、６１Ｍ、６１Ｃとの間に各色の転写領域を形成し、各色のトナー像を媒体としての用紙Ｐｒに転写するベルト式の転写ユニット１２、媒体収容部としての給紙カセット６４、該給紙カセット６４から用紙Ｐｒを繰り出し、前記各転写領域に給紙するための媒体供給ローラとしての給紙ローラ７１、前記給紙カセット６４から給紙された用紙Ｐｒを、画像形成ユニット６１Ｂｋ、６１Ｙ、６１Ｍ、６１Ｃにおける画像の形成のタイミングに合わせて前記各転写領域に供給するレジストローラ７２、用紙Ｐｒを搬送する搬送ローラ７３、７７、用紙Ｐｒを排出部７９に排出する排出ローラ７８、並びに前記各転写領域において転写された後のカラーのトナー像を用紙Ｐｒに定着させる定着装置としての定着器８０を有する。
【００１７】
前記転写ユニット１２は、図示されない転写用の駆動部としてのモータと接続され、該モータの回転を受けて回転させられる第１のローラとしての駆動ローラ１３、該駆動ローラ１３の回転に従動して回転させられる第２のローラとしてのアイドルローラ１４、前記駆動ローラ１３とアイドルローラ１４とによって張設され、走行させられるベルトとしての、かつ、転写ベルトとしての無端ベルト１６、該無端ベルト１６の内側において、前記各画像形成ユニット６１Ｂｋ、６１Ｙ、６１Ｍ、６１Ｃに配設された像担持体としての感光体ドラム６５と対向させて回転自在に配設された転写部材としての転写ローラ７５、及び前記アイドルローラ１４の近傍において、無端ベルト１６の外周面に当接させて配設された第１のクリーニング部材としてのクリーニングブレード１８を備える。
【００１８】
また、前記各画像形成ユニット６１Ｂｋ、６１Ｙ、６１Ｍ、６１Ｃは、いずれも同じ構造を有し、回転自在に配設された前記感光体ドラム６５、帯電装置としての帯電ローラ６７、現像器６６、該現像器６６に、色材としての顔料を含有する樹脂から成る現像剤としてのトナーを供給する現像剤カートリッジとしてのトナーカートリッジ７６、第２のクリーニング部材としてのクリーニングブレード６８等を有する。そして、前記帯電ローラ６７と現像器６６との間に露光装置としての、かつ、ＬＥＤプリントヘッドとしてのＬＥＤヘッド６９が前記各感光体ドラム６５と対向させて配設され、感光体ドラム６５の表面を露光するようになっている。
【００１９】
そして、前記定着器８０は、第１のローラとしての加熱ローラ８３及び第２のローラとしての加圧ローラ８４を備える。
【００２０】
なお、前記無端ベルト１６、感光体ドラム６５等は、それぞれ駆動部としての図示されないモータから回転伝達系としての図示されないギヤ等を介して伝達された回転を受け、走行させられ、回転させられる。また、前記帯電ローラ６７、現像器６６、ＬＥＤヘッド６９、定着器８０等は、それぞれ図示されない電源と接続される。
【００２１】
そして、プリンタ６０は図示されない外部装置と通信を行い、印刷データを受信する図示されない外部インタフェース、及び該外部インタフェースから印刷データを受信し、プリンタ６０全体の制御を行う図示されない制御部を有する。
【００２２】
次に、前記構成のプリンタ６０の動作について説明する。
【００２３】
まず、プリンタ６０においては、感光体ドラム６５の表面が図示されない電源装置によって電圧が印加された帯電ローラ６７により一様に帯電させられる。続いて、感光体ドラム６５が回転することによって、帯電させられた感光体ドラム６５の表面がＬＥＤヘッド６９と対向する位置に到達すると、該ＬＥＤヘッド６９によって露光され、感光体ドラム６５の表面に静電潜像が形成される。そして、該静電潜像が現像器６６によって現像され、感光体ドラム６５の表面にトナー像が形成される。
【００２４】
一方、給紙カセット６４にセットされた用紙Ｐｒは、給紙ローラ７１によって給紙カセット６４から繰り出され、レジストローラ７２及び搬送ローラ７３によって転写ローラ７５及び無端ベルト１６に搬送される。そして、前記感光体ドラム６５の回転に伴って、感光体ドラム６５の表面に形成されたトナー像が転写ローラ７５及び無端ベルト１６と対向する位置に到達すると、前記電源装置によって電圧が印加された転写ローラ７５及び無端ベルト１６にり、感光体ドラム６５の表面に形成されたトナー像が用紙Ｐｒに転写される。
【００２５】
続いて、トナー像が転写された用紙Ｐｒは、無端ベルト１６の走行に伴って定着器８０に搬送される。そして、用紙Ｐｒ上のトナー像は定着器８０において加圧され、加熱されることによって溶融させられ、用紙Ｐｒに定着させられる。
【００２６】
さらに、用紙Ｐｒは搬送ローラ７７及び排出ローラ７８によって排出部７９に排出され、プリンタ６０の動作が終了する。
【００２７】
次に、前記ＬＥＤヘッド６９について説明する。
【００２８】
図３は本発明の第１の実施の形態におけるＬＥＤヘッドを示す断面図である。
【００２９】
図に示されるように、ＬＥＤヘッド６９にレンズアレイ３０が配設され、該レンズアレイ３０はホルダ２４を介してＬＥＤヘッド６９の筐体３９に取り付けられる。そして、２０は発光部としてのＬＥＤ素子、２１は該ＬＥＤ素子２０の発光を制御するドライバＩＣ、６５は静電潜像が形成される感光体ドラムである。前記ＬＥＤ素子２０及びドライバＩＣ２１は配線基板２３上に配設され、ワイヤ２２によって結線される。なお、複数のＬＥＤ素子２０によってＬＥＤアレイが構成される。
【００３０】
そして、前記制御部が、画像データに基づいて制御信号を発生させ、ＬＥＤヘッド６９に送信すると、ドライバＩＣ２１はＬＥＤ素子２０を駆動し、発光させる。該ＬＥＤ素子２０の光はレンズアレイ３０に入射され、ＬＥＤ素子２０の露光像が感光体ドラム６５上に結像される。
【００３１】
次に、前記レンズアレイ３０について説明する。
【００３２】
図４は本発明の第１の実施の形態におけるレンズアレイの要部を示す正面図、図５は本発明の第１の実施の形態におけるレンズアレイの要部を示す縦断面図、図６は図４のＡ−Ａ断面図である。
【００３３】
図に示されるように、レンズアレイ３０は、所定の曲面を有するレンズとしての複数のマイクロレンズ３２が形成された二つのレンズ板３１、及び該各レンズ板３１間に配設された遮光部材としての絞り板３３を備える。
【００３４】
前記レンズ板３１においては、複数のマイクロレンズ３２が、光軸に対して直角の方向に、２列に、かつ、千鳥格子状に、また、マイクロレンズ３２の一部が隣接するマイクロレンズ３２と重なるように配設される。レンズ板３１の長手方向における各列のマイクロレンズ３２の中心間距離を、配列方向マイクロレンズ間隔Ｐとし、隣接する各マイクロレンズ３２の中心間距離を、隣接マイクロレンズ間隔ＰＮとし、レンズ板３１の幅方向におけるマイクロレンズ３２の中心間距離を、レンズ列−幅方向中心間距離ＰＡとし、マイクロレンズ３２の半径をマイクロレンズ半径ＲＬとし、レンズ板３１の厚さをレンズ厚ＬＴとする。レンズ板３１はＬＥＤ素子２０から入射された光を透過する材料によって形成される。
【００３５】
また、前記絞り板３３は遮光部３３ａ、及び各マイクロレンズ３２に対応させて形成された複数の透光部３３ｂを備える。該各透光部３３ｂは、レンズアレイ３０の光軸方向におけるＬＥＤ素子２０側から感光体ドラム６５側にかけて弧状部分が大きくなるように、かつ、前記各レンズ板３１のマイクロレンズ３２と中心線が一致するように形成される。
【００３６】
前記レンズアレイ３０は、光軸が一致するように配設された複数の、本実施の形態においては、二つのマイクロレンズ３２から成るレンズ群を光軸に対して垂直方向に２列に配設することによって構成され、各マイクロレンズ３２は縮小倒立像を形成し、前記レンズ群は正立等倍像を形成する。
【００３７】
なお、レンズアレイ３０のレンズ板３１としては、シクロオレフィン系樹脂である光学樹脂（日本ゼオン社製、商品名：ＺＥＯＮＥＸ（ゼオネックス）Ｅ４８Ｒ）を使用し、射出成形によって複数のマイクロレンズ３２を一体に成形した。また、配列方向マイクロレンズ間隔Ｐを１．２〔ｍｍ〕とし、隣接マイクロレンズ間隔ＰＮを０．７２１〔ｍｍ〕とし、レンズ列−幅方向中心間距離ＰＡを０．４〔ｍｍ〕とし、マイクロレンズ半径ＲＬを、０．５〔ｍｍ〕とし、光軸方向の厚さをレンズ厚をＬＴとした。
【００３８】
次に、絞り板３３について説明する。
【００３９】
図１は本発明の第１の実施の形態における絞り板の要部を示す正面図、図７は本発明の第１の実施の形態における絞り板を示す正面図、図８は本発明の第１の実施の形態における絞り板の要部を示す縦断面図、図９は図１のＢ−Ｂ断面図である。
【００４０】
図に示されるように、絞り板３３は、光軸が一致するレンズ以外のレンズから入射された光を遮断する遮光部３３ａ、及びＬＥＤ素子２０（図３）から入射された光を透過する透光部３３ｂから成り、該透光部３３ｂは、図７に示されるように、各マイクロレンズ３２に対応させて、２列に、かつ、千鳥格子状に、また、透光部３３ｂの一部が隣接する透光部３３ｂと重なるように配設される。前記遮光部３３ａはＬＥＤ素子２０から入射された光を遮断する材料によって形成され、透光部３３ｂは貫通穴から成る。
【００４１】
この場合、絞り板３３の長手方向における各列の透光部３３ｂの中心間距離は、前記配列方向マイクロレンズ間隔Ｐと等しく、隣接する各透光部３３ｂの中心間距離は、前記隣接マイクロレンズ間隔ＰＮと等しく、絞り板３３の幅方向における透光部３３ｂの中心間距離は、レンズ列−幅方向中心間距離ＰＡと等しくされる。また、前記透光部３３ｂにおいて、レンズアレイ３０の光軸方向における一方の端面の、本実施の形態においては、ＬＥＤ素子２０側の半径をＲＡとし、他方の端面の、本実施の形態においては、感光体ドラム６５側の半径をＲＢとすると、
ＲＢ＞ＲＡ
になる。
【００４２】
なお、本実施の形態においては、半径ＲＡを０．４５〔ｍｍ〕とし、半径ＲＢを０．５〔ｍｍ〕とした。また、絞り板３３の厚さを絞り板厚ｔとしたとき、該絞り板厚ｔを２．５〔ｍｍ〕とした。
【００４３】
前記絞り板３３は樹脂、本実施の形態においては、ポリカーボネートを使用した射出成形によって形成され、絞り板３３を形成するための金型には、各透光部３３ｂの形状に対応する突起が形成される。なお、本実施の形態においては、透光部３３ｂの一部が隣接する透光部３３ｂと重なるように、かつ、連通するように配設されるので、前記金型の突起は、互いに連通する各透光部３３ｂに対応するように一体に形成される。また、本実施の形態においては、絞り板３３を射出成形によって形成するようになっているが、光を透過する部材に、光を遮断する材料によって遮光パターンを形成することによって形成することができる。
【００４４】
ところで、仮に、各透光部を、互いに独立させて、配列方向マイクロレンズ間隔Ｐと同じ間隔を置いて形成しようとすると、金型に各透光部を構成する貫通穴の形状に対応するピンを入れ子として配設する必要がある。
【００４５】
例えば、前記配列方向マイクロレンズ間隔Ｐと同じ間隔で各透光部を形成し、Ａ４判の用紙Ｐｒの幅（２１０〔ｍｍ〕）に対応するレンズアレイ３０の絞り板３３を形成しようとすると、絞り板厚ｔが２．５〔ｍｍ〕であるので、約３５０個の貫通穴に対応させて長さ２．５〔ｍｍ〕程度の約３５０個のピンを金型内に配列する必要がある。したがって、金型を作成するのが困難になる。また、仮に、各透光部の半径が０．４〔ｍｍ〕程度である場合は、金型内に配設される各ピンの半径も０．４〔ｍｍ〕程度になるので、ピンが破損しやすく、金型の耐久性が低下してしまう。しかも、所定のピンが破損すると、すべてのピンを交換する必要があるので、金型の生産性が低下してしまう。
【００４６】
これに対して、本実施の形態においては、前記突起が互いに連通する各透光部３３ｂに対応するように一体に形成されるので、金型の耐久性及び生産性を高くすることができる。また、透光部３３ｂにおいて、ＬＥＤ素子２０側の端面の半径ＲＡが感光体ドラム６５側の端面の半径ＲＢより小さくされ、ＬＥＤ素子２０側の端面の面積が感光体ドラム６５側の端面の面積より小さくされるので、成形後に金型から絞り板３３を取り出す際に、図８における右方に絞り板３３を離型させると、遮光部３３ａの表面と突起の表面との摩擦を小さくすることができる。したがって、金型から絞り板３３を取り出す際に、絞り板３３が破損するのを防止することができるので、絞り板３３の歩留りを高くすることができる。
【００４７】
次に、前記構成のレンズアレイ３０の光学系について説明する。
【００４８】
図１０は本発明の第１の実施の形態におけるレンズアレイの配設状態を示す図である。
【００４９】
この場合、レンズアレイ３０の各部の値を表１に示す。
【００５０】
【表１】
2010008803.tif 000003
【００５１】
なお、Ｐは配列方向マイクロレンズ間隔、ＰＮは隣接マイクロレンズ間隔、ＰＡはレンズ列−幅方向中心間距離、ＬＯはＬＥＤ素子２０が配設され、物体面を構成する平面とマイクロレンズ３２の外部曲面３２ａの頂点との距離を表す物体面−レンズ面距離、ＲＬはマイクロレンズ半径、ＣＯは各マイクロレンズ３２の外部曲面３２ａの曲率半径を表す外部曲面曲率半径、ＡＯは外部曲面３２ａの４次の非球面係数を表す外部曲面非球面係数４次、ＢＯは外部曲面３２ａの６次の非球面係数を表す外部曲面非球面係数６次、ＣＩは各マイクロレンズ３２の内部曲面３２ｂの曲率半径を表す内部曲面曲率半径、ＡＩは内部曲面３２ｂの４次の非球面係数を表す内部曲面非球面係数４次、ＢＩは内部曲面３２ｂの６次の非球面係数を表す内部曲面非球面係数６次、ＬＴはレンズ厚、ＬＳは各内部曲面３２ｂ間の距離を表すレンズ面間距離、ＲＡは透光部３３ｂにおけるＬＥＤ素子２０側の端面の半径、ＲＢは透光部３３ｂにおける感光体ドラム６５側の端面の半径、ｔは絞り板厚、ＬＩは露光像が形成される結像面を構成する感光体ドラム６５の表面とマイクロレンズ３２の外部曲面３２ａの頂点との距離を表す結像面−レンズ面距離、ＴＣは結像面と物体面との距離を表す結像面−物体面距離である。
【００５２】
ここで、前記絞り板３３において、ＬＥＤ素子２０側の半径ＲＡが感光体ドラム６５側の半径ＲＢより小さくなるように透光部３３ｂが配設され、そのために、透光部３３ｂの内周面は、光軸に対して傾斜させられる。したがって、ＬＥＤ素子２０によって発生させられた光が、絞り板３３の内周面に当たりにくくなり、内周面で反射されにくくなる。
【００５３】
なお、前記マイクロレンズ３２の各曲面は回転対称高次非球面で次の式によって表される。
【００５４】
【数１】
2010008803.tif 000004
【００５５】
前記回転対称高次非球面は、光軸からマイクロレンズ３２の半径方向におけるすべての方向で同じ形状（回転対称）を有し、かつ、複数の偏曲点を有する曲面形状である。そして、関数ｚ（ｒ）は、マイクロレンズ３２の光軸に平行な方向を回転軸とし、半径方向の座標をｒとした回転座標系を示し、マイクロレンズ３２の各外部曲面３２ａ及び内部曲面３２ｂの頂点を原点とし、レンズアレイ３０の物体面から結像面に向かう方向を正の数で表す。なお、Ｃは曲率半径、Ａは非球面係数４次、Ｂは非球面係数６次である。
【００５６】
本実施の形態においては、前記レンズ板３１に複数のマイクロレンズ３２が一体に形成されるが、マイクロレンズ３２を個々に形成し、所定の配列方向マイクロレンズ間隔Ｐで固定することができる。
【００５７】
また、本実施の形態においては、各外部曲面３２ａ及び内部曲面３２ｂを回転対称の高次の非球面で形成するようになっているが、球面で形成することができる。さらに、各外部曲面３２ａ及び内部曲面３２ｂを、放物面、楕円面、双曲面等のコーニック面、光軸に垂直な各方向に非対称なトロイド面、シリンダ面等で形成したり、公知の自由曲面で形成したりすることもできる。
【００５８】
そして、本実施の形態においては、マイクロレンズ３２が、２列に、かつ、千鳥格子状に配設されるようになっているが、マイクロレンズ３２を１列に配設したり、３列以上の複数列に配設することができる。
【００５９】
また、本実施の形態において、マイクロレンズ３２は、二つの屈折面（曲面）を備えた単レンズから成るが、複数の単レンズを組み合わせ、四つ以上の屈折面を備えた複合レンズによって形成することができる。
【００６０】
そして、本実施の形態において、前記マイクロレンズ３２は、ＬＥＤ素子２０の光を透過する均一な屈折率を有する透明材料によって形成されるが、所定の屈折率分布を有する屈折率分布型レンズ、光ファイバ等によって形成することもできる。
【００６１】
また、本実施の形態において、透光部３３ｂにおける光軸に対して直角の方向の断面は、隣接する円が重なる形状を有するが、矩形が重なる形状、多角形が重なる形状等を有するようにすることができる。
【００６２】
そして、本実施の形態においては、絞り板３３が、ポリカーボネートを射出成形することによって形成されるようになっているが、他の樹脂を使用したり、切削加工、エッチング処理による加工等によって形成したりすることができる。
【００６３】
また、本実施の形態において、絞り板３３は、二つのレンズ板３１の間に配設されるようになっているが、レンズ板３１とＬＥＤ素子２０との間に配設したり、レンズ板３１と感光体ドラム６５との間に配設したりすることができる。
【００６４】
そして、発光部としてＬＥＤ素子２０が使用されるようになっているが、有機ＥＬを使用したり、半導体レーザを使用することができる。さらに、蛍光灯、ハロゲンランプ等の光源、及び液晶素子によって形成されたシャッターを備えた露光装置を使用することもできる。
【００６５】
また、本実施の形態におけるレンズアレイ３０を、所定の箇所に光を照射する照明装置に使用したり、所定の箇所に紫外線を照射する紫外線照射装置に使用したり、ＬＣＤ（液晶ディスプレイ）のバックライトユニットに使用したりすることができる。
【００６６】
さらに、本実施の形態におけるレンズアレイ３０を、発光部の結像像を所定の箇所に形成し、画像、文字等を表示する表示装置に使用したり、液晶プロジェクターの光学系に使用したり、ＤＭＤ（ディジタル・マイクロ・ミラー・デバイス）を備えたライトスイッチ式プロジェクターの光学系等に使用したりすることができる。
【００６７】
次に、前記構成のレンズアレイ３０の動作について説明する。
【００６８】
図１１は本発明の第１の実施の形態におけるレンズアレイの光学系を示す図である。
【００６９】
図において、２０はＬＥＤ素子、ＭＬＩ１、ＭＬＩ２、ＭＬＯ１、ＭＬＯ３、ＭＬＯ４はマイクロレンズ３２のうちの所定のマイクロレンズ、３０はレンズアレイ、３３は絞り板、６５は感光体ドラム、ＥはＬＥＤ素子２０の露光像である。
【００７０】
この場合、ＬＥＤ素子２０とレンズアレイ３０による露光像との間の光路を示す。該光路における最短経路を示す主光をＲ１とし、各マイクロレンズＭＬＩ１、ＭＬＩ２、ＭＬＯ１、ＭＬＯ３、ＭＬＯ４の最も外側の経路を示す周辺光をＲ２、Ｒ３とする。
【００７１】
そして、ＬＥＤ素子２０に最も近いマイクロレンズＭＬＩ１に入射した光は、絞り板３３の透光部３３ｂ内で一度集光させられた後、再びマイクロレンズＭＬＯ１に入射して露光像Ｅを形成する。また、マイクロレンズＭＬＩ１に隣接させて配設されたマイクロレンズＭＬＩ２に入射した光Ｒ’は、絞り板３３によって遮断され、感光体ドラム６５上には到達せず、露光像Ｅ’は形成されない。
【００７２】
本実施の形態におけるＬＥＤヘッド６９について、露光像Ｅの解像度を示すＭＴＦ（Ｍｏｄｕｌａｔｉｏｎ  Ｔｒａｎｓｆｅｒ  Ｆｕｎｃｔｉｏｎ；振幅伝達関数）を測定したところ、８０〔％〕以上の値を示した。ここで、ＭＴＦは、ＬＥＤヘッド６９において点灯しているＬＥＤ素子２０による露光像の光量のコントラストを表す。そして、ＭＴＦの値が１００〔％〕である場合に、露光像の光量のコントラストが最も高く、ＬＥＤヘッド６９としての解像度が高いことを示し、ＭＴＦの値が小さいほど光量のコントラストは低く、ＬＥＤヘッド６９としての解像度は低い。
【００７３】
そして、ＭＴＦは、露光像Ｅの光量の最大値Ｉｍａｘとし、隣接する二つの露光像間の光量の最小値をＩｍｉｎとしたとき、
ＭＴＦ＝（Ｉｍａｘ−Ｉｍｉｎ）／（Ｉｍａｘ＋Ｉｍｉｎ）×１００〔％〕
のように定義される。
【００７４】
なお、ＭＴＦ及び光量の測定においては、ＬＥＤヘッド６９のレンズアレイ３０の結像面側（感光体ドラム６５側）の端面から結像面−レンズ面距離ＬＩだけ離れた位置の露光像Ｅを顕微鏡デジタルカメラによって撮影し、撮影された画像からＬＥＤ素子２０の露光像Ｅの光量分布を解析してＭＴＦ及び光量を算出した。
【００７５】
また、ＭＴＦの測定については、ＬＥＤ素子２０の解像度が６００〔ｄｐｉ〕、すなわち、１インチ当たり（１インチは約２５．４〔ｍｍ〕）６００個のＬＥＤ素子２０が配列されるＬＥＤヘッド６９に、本実施の形態におけるレンズアレイ３０を実装し、ＬＥＤ素子２０を一つおきに点灯させることによって測定した。
【００７６】
次に、ＬＥＤヘッド６９にレンズアレイ３０が搭載されたプリンタ６０の画像を評価したときの評価結果について説明する。
【００７７】
図１２は本発明の第１の実施の形態における評価する画像を構成するドットを示す図である。
【００７８】
この場合、プリンタ６０の画像の評価は、解像度６００〔ｄｐｉ〕で印字領域の全体において、一つおきにドットを形成（印字ドットと非印字ドットとを交互に形成）し、画像品位を判断することによって行った。
【００７９】
そして、プリンタ６０の画像を評価したところ、画像にすじ、濃淡斑等が形成されることがなく、画像品位を向上させることができた。
【００８０】
このように、本実施の形態においては、透光部３３ｂの一部が隣接する透光部３３ｂと重なるように配設されるので、絞り板３３を形成するための金型に、各透光部３３ｂの形状に対応する突起を一体に形成することができる。
【００８１】
したがって、金型の耐久性及び生産性を高くすることができるとともに、絞り板３３を容易に形成することができる。
【００８２】
また、本実施の形態においては、透光部３３ｂにおいて、ＬＥＤ素子２０側の半径ＲＡが感光体ドラム６５側の半径ＲＢより小さくされるので、金型から絞り板３３を取り出す際に、絞り板３３が破損するのを防止することができる。したがって、絞り板３３の歩留りを高くすることができる。
【００８３】
また、隣接するマイクロレンズ３２に入射された光は、絞り板３３によって遮断されるので、レンズアレイ３０におけるＭＴＦの値を大きくすることができる。したがって、露光像Ｅの光量のコントラストを高くすることができる。また、画像にすじ、濃度斑等が形成されることがなく、画像品位を向上させることができる。
【００８４】
次に、本発明の第２の実施の形態について説明する。なお、第１の実施の形態と同じ構造を有するものについては、同じ符号を付与し、同じ構造を有することによる発明の効果については同実施の形態の効果を援用する。
【００８５】
図１３は本発明の第２の実施の形態における絞り板を示す正面図、図１４は本発明の第２の実施の形態における絞り板の要部を示す正面図、図１５は本発明の第２の実施の形態における絞り板の要部を示す縦断面図、図１６は図１４のＣ−Ｃ断面図である。
【００８６】
図に示されるように、遮光部材としての絞り板４０は遮光部４０ａ及び透光部４０ｂから成り、該透光部４０ｂは、図１３に示されるように、レンズとしての各マイクロレンズ３２（図４）に対応させて、２列に、かつ、千鳥格子状に、また、透光部４０ｂの一部が隣接する透光部４０ｂと重なるように配設される。前記遮光部４０ａは発光部としてのＬＥＤ素子２０（図３）から入射された光を遮断する材料によって形成され、透光部４０ｂは貫通穴から成る。
【００８７】
この場合、絞り板４０の長手方向における各列の透光部４０ｂの中心間距離は、前記配列方向マイクロレンズ間隔Ｐと等しく、隣接する各透光部４０ｂの中心間距離は、前記隣接マイクロレンズ間隔ＰＮと等しく、絞り板４０の幅方向における透光部４０ｂの中心間距離は、前記レンズ列−幅方向中心間距離ＰＡと等しくされる。また、前記透光部４０ｂにおいて、光軸方向における中央付近の半径をＲＣとし、光軸方向における両端面の半径をＲＤとすると、
ＲＤ＞ＲＣ
にされる。すなわち、前記透光部４０ｂにおいて、光軸方向における中央付近の面積が光軸方向における両端面の面積より小さくされる。
【００８８】
なお、本実施の形態においては、半径ＲＣを０．３〔ｍｍ〕とし、半径ＲＤを０．５〔ｍｍ〕とした。また、絞り板厚ｔを２．５〔ｍｍ〕とした。
【００８９】
前記絞り板４０は樹脂、本実施の形態においては、ポリカーボネートを使用した射出成形によって形成され、絞り板４０を形成するための金型は第１、第２の金型部に分割され、絞り板４０の光軸方向における中央付近に第１、第２の金型部の合せ面が置かれ、成形された絞り板４０を取り出す場合、第１、第２の金型部が分離させられる。そして、前記第１、第２の金型部には、透光部４０ｂを光軸方向における中央付近で二つに分離した形状に形成することができるように、それぞれ突起が形成される。
【００９０】
本実施の形態においては、透光部４０ｂの光軸方向における両端部の半径ＲＤが中央付近の半径ＲＣより大きくされ、しかも、金型が絞り板４０の光軸方向における中央付近で第１、第２の金型部に分割されるので、成形後に金型から絞り板４０を取り出す際に、遮光部４０ａの表面と突起の表面との摩擦を小さくすることができる。したがって、金型から絞り板４０を取り出す際に、絞り板４０が破損するのを防止することができるので、絞り板４０の歩留りを高くすることができる。
【００９１】
そして、本実施の形態における露光装置としてのＬＥＤヘッド６９について、露光像ＥのＭＴＦを第１の実施の形態と同じ条件で測定したところ、８０〔％〕以上の値を示した。
【００９２】
また、プリンタ６０の画像を評価したところ、画像にすじ、濃淡斑等が形成されることがなく、画像品位を向上させることができた。
【００９３】
このように、本実施の形態においては、透光部４０ｂの一部が隣接する透光部４０ｂと重なるように配設されるので、絞り板４０を形成するための金型に、各透光部４０ｂの形状に対応する突起を一体に形成することができる。しかも、第１、第２の金型部にそれぞれ突起が形成されるので、突起をその分短くすることができる。したがって、金型の耐久性及び生産性を一層高くすることができる。
【００９４】
また、本実施の形態においては、透光部４０ｂの光軸方向における両端部の半径ＲＤが中央付近の半径ＲＣより大きくされ、しかも、金型は絞り板４０の光軸方向における中央付近で第１、第２の金型部に分割されるので、金型から絞り板４０を取り出す際に、絞り板４０が破損するのを防止することができる。したがって、絞り板４０の歩留りを高くすることができる。
【００９５】
そして、透光部４０ｂの光軸方向における両端部においては、隣接する透光部４０ｂが互いに連通させられ、透光部４０ｂの光軸方向における中央付近においては、隣接する透光部４０ｂが互いに分離させられるので、第１、第２の金型部にそれぞれ形成される突起は、根元部分で一体化される。したがって、金型の耐久性及び生産性を一層高くすることができる。
【００９６】
また、隣接するマイクロレンズ３２に入射された光は、絞り板４０によって遮断されるので、レンズアレイ３０におけるＭＴＦの値を大きくすることができる。したがって、露光像Ｅの光量のコントラストを高くすることができる。また、画像にすじ、濃度斑等が形成されることがなく、画像品位を向上させることができる。
【００９７】
次に、本発明の第３の実施の形態について説明する。なお、前記第１、第２の実施の形態と同じ構造を有するものについては、同じ符号を付与し、同じ構造を有することによる発明の効果については同実施の形態の効果を援用する。
【００９８】
図１７は本発明の第３の実施の形態における絞り板を示す正面図、図１８は本発明の第３の実施の形態における絞り板の要部を示す正面図、図１９は本発明の第３の実施の形態における絞り板の要部を示す縦断面図、図２０は図１８のＤ−Ｄ断面図、図２１は本発明の第３の実施の形態におけるレンズアレイの要部を示す正面図、図２２は本発明の第３の実施の形態におけるレンズアレイの要部を示す縦断面図である。
【００９９】
図に示されるように、遮光部材としての絞り板４５は遮光部４５ａ及び透光部４５ｂから成り、該透光部４５ｂは、図１７に示されるように、レンズとしての各マイクロレンズ３２（図４）に対応させて、２列に、かつ、千鳥格子状に、また、透光部４５ｂの一部が隣接する透光部４５ｂと重なるように配設される。前記遮光部４５ａは発光部としてのＬＥＤ素子２０（図３）から入射された光を遮断する材料によって形成され、透光部４５ｂは貫通穴から成る。
【０１００】
この場合、絞り板４５の長手方向における各列の透光部４５ｂの中心間距離は、前記配列方向マイクロレンズ間隔Ｐと等しく、隣接する各透光部４５ｂの中心間距離は、前記隣接マイクロレンズ間隔ＰＮと等しく、絞り板４５の幅方向における透光部４５ｂの中心間距離は、前記レンズ列−幅方向中心間距離ＰＡと等しくされる。
【０１０１】
前記遮光部４５ａは、二つのマイクロレンズ３２が隣接する境界線付近において、レンズアレイ３０の幅方向における二つのマイクロレンズ３２の中心の位置からレンズアレイ３０の幅方向における端部までの領域を遮光する。そして、前記透光部４５ｂの円弧状の部分の半径をＲＥとし、レンズアレイ３０の幅方向における中心（レンズアレイ幅方向中心）に向けて突出する部分、すなわち、突出部４５ｃの突出量をＳＡとすると、
ＲＥ＝ＳＡ
にされる。
【０１０２】
なお、本実施の形態においては、半径ＲＥを０．４５〔ｍｍ〕とし、絞り板厚ｔを２．５〔ｍｍ〕とした。
【０１０３】
前記絞り板４５は樹脂、本実施の形態においては、ポリカーボネートを使用した射出成形によって形成される。
【０１０４】
本実施の形態における露光装置としてのＬＥＤヘッド６９について、露光像ＥのＭＴＦを第１の実施の形態と同じ条件で測定したところ、８０〔％〕以上の値を示した。
【０１０５】
また、プリンタ６０の画像を評価したところ、画像にすじ、濃淡斑等が形成されることがなく、画像品位を向上させることができた。
【０１０６】
このように、本実施の形態においては、透光部４５ｂの一部が隣接する透光部４５ｂと重なるように配設されるので、絞り板４５を形成するための金型に、各透光部４５ｂの形状に対応する突起を一体に形成することができる。しかも、本実施の形態においては、透光部４５ｂの円弧状の部分の半径ＲＥと突出部４５ｃの突出量ＳＡとが等しくされ、突出部４５の先端がマイクロレンズ３２の中心（マイクロレンズ中心）より、レンズアレイ３０の幅方向における中心側に突出しないので、透光部４５ｂによって大きな貫通穴が形成されることになる。
【０１０７】
したがって、金型の耐久性及び生産性を高くすることができる。
【０１０８】
また、隣接するマイクロレンズ３２に入射された光は、絞り板４５によって遮断されるので、レンズアレイ３０におけるＭＴＦの値を大きくすることができる。したがって、露光像Ｅの光量のコントラストを高くすることができる。また、画像にすじ、濃度斑等が形成されることがなく、画像品位を向上させることができる。
【０１０９】
次に、本発明の第４の実施の形態について説明する。なお、前記第１〜第３の実施の形態と同じ構造を有するものについては、同じ符号を付与し、同じ構造を有することによる発明の効果については同実施の形態の効果を援用する。
【０１１０】
図２３は本発明の第４の実施の形態における絞り板を示す正面図、図２４は本発明の第４の実施の形態における絞り板の要部を示す正面図、図２５は本発明の第４の実施の形態における絞り板の要部を示す縦断面図、図２６は図２４のＥ−Ｅ断面図、図２７は本発明の第４の実施の形態におけるレンズアレイの要部を示す正面図、図２８は本発明の第４の実施の形態におけるレンズアレイの要部を示す縦断面図である。
【０１１１】
図に示されるように、遮光部材としての絞り板５０は遮光部５０ａ及び透光部５０ｂから成り、該透光部５０ｂは、図２３に示されるように、レンズとしての各マイクロレンズ３２（図４）に対応させて、２列に、かつ、千鳥格子状に、また、透光部５０ｂの一部が隣接する透光部５０ｂと重なるように配設される。前記遮光部５０ａは発光部としてのＬＥＤ素子２０（図３）から入射された光を遮断する材料によって形成され、透光部５０ｂは貫通穴から成る。
【０１１２】
そして、絞り板５０の長手方向における各列の透光部５０ｂの中心間距離は、前記配列方向マイクロレンズ間隔Ｐと等しく、隣接する各透光部５０ｂの中心間距離は、前記隣接マイクロレンズ間隔ＰＮと等しく、絞り板５０の幅方向における透光部５０ｂの中心間距離は、前記レンズ列−幅方向中心間距離ＰＡと等しくされる。
【０１１３】
前記遮光部５０ａは、二つのマイクロレンズ３２が隣接する境界線付近において、レンズアレイ３０の幅方向における中心の位置からレンズアレイ３０の幅方向における端部までの領域を遮光する。そして、前記透光部５０ｂの円弧状の部分の半径をＲＦとし、レンズアレイ３０の幅方向における中心（レンズアレイ幅方向中心）に向けて突出する突出部５０ｃの突出量をＳＢとすると、
ＳＢ＝ＰＡ／２＋ＲＦ
にされる。
【０１１４】
なお、本実施の形態においては、半径ＲＦを０．４５〔ｍｍ〕とし、絞り板厚ｔを２．５〔ｍｍ〕とした。そして、レンズ列−幅方向中心間距離ＰＡが０．４００〔ｍｍ〕であるので、突出量ＳＢは０．６５〔ｍｍ〕になる。
【０１１５】
本実施の形態における露光装置としてのＬＥＤヘッド６９について、露光像ＥのＭＴＦを第１の実施の形態と同じ条件で測定したところ、９０〔％〕以上の値を示した。
【０１１６】
すなわち、本実施の形態においては、前記第１〜第３の実施の形態と比較して、隣接するマイクロレンズ３２に入射された光が、絞り板５０によって確実に遮断されるので、レンズアレイ３０におけるＭＴＦの値を大きくすることができる。したがって、露光像Ｅの光量のコントラストを一層高くすることができる。また、画像にすじ、濃度斑等が形成されることがなく、画像品位を一層向上させることができる。
【０１１７】
次に、本発明の第５の実施の形態について説明する。なお、前記第１〜第４の実施の形態と同じ構造を有するものについては、同じ符号を付与し、同じ構造を有することによる発明の効果については同実施の形態の効果を援用する。
【０１１８】
図２９は本発明の第５の実施の形態における絞り板を示す正面図、図３０は本発明の第５の実施の形態における絞り板の要部を示す正面図、図３１は本発明の第５の実施の形態における絞り板の要部を示す縦断面図、図３２は図３０のＦ−Ｆ断面図である。
【０１１９】
図に示されるように、遮光部材としての絞り板５５は遮光部５５ａ、透光部５５ｂ、及び該透光部５５ｂ内に配設された仕切り部材としての仕切り板５５ｃから成り、前記透光部５５ｂは、図２９に示されるように、各マイクロレンズ３２（図４）に対応させて、２列に、かつ、千鳥格子状に、また、絞り板５５の長手方向において透光部５５ｂの一部が隣接する透光部５５ｂと重なるように、かつ、仕切り板５５ｃを介して対向させて配設される。
【０１２０】
次に、原稿の画像を読み取り、画像の電子データを生成する画像処理装置としての、かつ、読取装置としてのスキャナに適用した本発明の第６の実施の形態について説明する。なお、前記第１〜第５の実施の形態と同じ構造を有するものについては、同じ符号を付与し、同じ構造を有することによる発明の効果については同実施の形態の効果を援用する。
【０１２１】
図３３は本発明の第６の実施の形態におけるスキャナの概念図、図３４は本発明の第６の実施の形態における読取ヘッドの概念図、図３５は本発明の第６の実施の形態におけるレンズアレイの配設状態を示す図である。
【０１２２】
図において、９０はスキャナ、９１は照明装置としてのランプ、９２は可視光線を透過する素材によって形成された原稿台、９３はレール、１００は読取ヘッド、１０１はラインセンサ、１０２は原稿Ｐｄにおいて反射された光の光路を折り曲げるミラー、１１１は前記読取ヘッド１００を移動させるための走行ユニットである。前記ラインセンサ１０１は６００〔ｄｐｉ〕の解像度を有し、１インチ当たり６００個の受光素子が０．０４２３〔ｍｍ〕の間隔で直線状に配列される。
【０１２３】
前記走行ユニット１１１は、駆動プーリ９４ａ、従動プーリ９４ｂ、前記駆動プーリ９４ａと従動プーリ９４ｂとによって張設された駆動ベルト９５、及び駆動プーリ９４ａを回転させ、駆動ベルト９５を走行させる駆動部としてのモータ９６を備え、前記読取ヘッド１００が駆動ベルト９５に取り付けられる。
【０１２４】
次に、前記構成の読取ヘッド１００の動作について説明する。
【０１２５】
前記モータ９６を駆動すると、駆動ベルト９５が走行させられ、それに伴って、前記読取ヘッド１００はレール９３上を走行させられる。そして、読取ヘッド１００において、ランプ９１は原稿台９２上に載置された原稿Ｐｄに光を照射し、原稿Ｐｄの表面で反射した光は、原稿台９２を透過した後、ミラー１０２によって曲折させられた後、レンズアレイ３０に入射され、画像の結像像が、結像面を構成するラインセンサ１０１上に結像される。該ラインセンサ１０１は結像像に対応する電気信号を発生させる。
【０１２６】
本実施の形態におけるスキャナ９０を使用して原稿Ｐｄを読み取ったところ、原稿Ｐｄの画像に対応する画像データを得ることができた。この場合、画像データの評価は、原稿Ｐｄの全体において、解像度６００〔ｄｐｉ〕で一つおきにドットが形成（印字ドットと非印字ドットとを交互に形成）された画像を読み取ることによって行った。
【０１２７】
本実施の形態においては、スキャナ９０によって、コントラストが高く、焦点深度が高く、かつ、十分な明るさの結像像を得ることができた。
【０１２８】
本実施の形態においては、プリンタ６０及びスキャナ９０について説明しているが、本発明を、複写機等の画像形成装置、ファクシミリ等の読取装置及び複合機のような画像処理装置に適用することができる。また、本発明を光学的信号を電気的信号に変換するセンサ、スイッチ等を使用した入出力装置、生体認証装置、通信装置、寸法測定器等に適用することができる。
【０１２９】
なお、本発明は前記各実施の形態に限定されるものではなく、本発明の趣旨に基づいて種々変形させることが可能であり、それらを本発明の範囲から排除するものではない。
【図面の簡単な説明】
【０１３０】
【図１】本発明の第１の実施の形態における絞り板の要部を示す正面図である。
【図２】本発明の第１の実施の形態におけるプリンタの概念図である。
【図３】本発明の第１の実施の形態におけるＬＥＤヘッドを示す断面図である。
【図４】本発明の第１の実施の形態におけるレンズアレイの要部を示す正面図である。
【図５】本発明の第１の実施の形態におけるレンズアレイの要部を示す縦断面図である。
【図６】図４のＡ−Ａ断面図である。
【図７】本発明の第１の実施の形態における絞り板を示す正面図である。
【図８】本発明の第１の実施の形態における絞り板の要部を示す縦断面図である。
【図９】図１のＢ−Ｂ断面図である。
【図１０】本発明の第１の実施の形態におけるレンズアレイの配設状態を示す図である。
【図１１】本発明の第１の実施の形態におけるレンズアレイの光学系を示す図である。
【図１２】本発明の第１の実施の形態における評価する画像を構成するドットを示す図である。
【図１３】本発明の第２の実施の形態における絞り板を示す正面図である。
【図１４】本発明の第２の実施の形態における絞り板の要部を示す正面図である。
【図１５】本発明の第２の実施の形態における絞り板の要部を示す縦断面図である。
【図１６】図１４のＣ−Ｃ断面図である。
【図１７】本発明の第３の実施の形態における絞り板を示す正面図である。
【図１８】本発明の第３の実施の形態における絞り板の要部を示す正面図である。
【図１９】本発明の第３の実施の形態における絞り板の要部を示す縦断面図である。
【図２０】図１８のＤ−Ｄ断面図である。
【図２１】本発明の第３の実施の形態におけるレンズアレイの要部を示す正面図である。
【図２２】本発明の第３の実施の形態におけるレンズアレイの要部を示す縦断面図である。
【図２３】本発明の第４の実施の形態における絞り板を示す正面図である。
【図２４】本発明の第４の実施の形態における絞り板の要部を示す正面図である。
【図２５】本発明の第４の実施の形態における絞り板の要部を示す縦断面図である。
【図２６】図２４のＥ−Ｅ断面図である。
【図２７】本発明の第４の実施の形態におけるレンズアレイの要部を示す正面図である。
【図２８】本発明の第４の実施の形態におけるレンズアレイの要部を示す縦断面図である。
【図２９】本発明の第５の実施の形態における絞り板を示す正面図である。
【図３０】本発明の第５の実施の形態における絞り板の要部を示す正面図である。
【図３１】本発明の第５の実施の形態における絞り板の要部を示す縦断面図である。
【図３２】図３０のＦ−Ｆ断面図である。
【図３３】本発明の第６の実施の形態におけるスキャナの概念図である。
【図３４】本発明の第６の実施の形態における読取ヘッドの概念図である。
【図３５】本発明の第６の実施の形態におけるレンズアレイの配設状態を示す図である。
【符号の説明】
【０１３１】
３０    レンズアレイ
３１    レンズ板
３２、ＭＬＩ１、ＭＬＩ２、ＭＬＯ１、ＭＬＯ３、ＭＬＯ４    マイクロレンズ
３３、４０、４５、５０、５５    絞り板
３３ａ、４０ａ、４５ａ、５０ａ、５５ａ    遮光部
３３ｂ、４０ｂ、４５ｂ、５０ｂ、５５ｂ    透光部
【図１】
2010008803.tif 000005
【図２】
2010008803.tif 000006
【図３】
2010008803.tif 000007
【図４】
2010008803.tif 000008
【図５】
2010008803.tif 000009
【図６】
2010008803.tif 000010
【図７】
2010008803.tif 000011
【図８】
2010008803.tif 000012
【図９】
2010008803.tif 000013
【図１０】
2010008803.tif 000014
【図１１】
2010008803.tif 000015
【図１２】
2010008803.tif 000016
【図１３】
2010008803.tif 000017
【図１４】
2010008803.tif 000018
【図１５】
2010008803.tif 000019
【図１６】
2010008803.tif 000020
【図１７】
2010008803.tif 000021
【図１８】
2010008803.tif 000022
【図１９】
2010008803.tif 000023
【図２０】
2010008803.tif 000024
【図２１】
2010008803.tif 000025
【図２２】
2010008803.tif 000026
【図２３】
2010008803.tif 000027
【図２４】
2010008803.tif 000028
【図２５】
2010008803.tif 000029
【図２６】
2010008803.tif 000030
【図２７】
2010008803.tif 000031
【図２８】
2010008803.tif 000032
【図２９】
2010008803.tif 000033
【図３０】
2010008803.tif 000034
【図３１】
2010008803.tif 000035
【図３２】
2010008803.tif 000036
【図３３】
2010008803.tif 000037
【図３４】
2010008803.tif 000038
【図３５】
2010008803.tif 000039